(57)【要約】【課題】膝の角度を正しくキープでき、しかも簡易な構成で着脱し易いゴルフ練習器を提供する。【解決手段】概略くの字型をなし、脚の膝を中心としてその上下の一定範囲に亘って取り付けられて、該膝の屈曲角度を固定する角度固定部材１と、前記角度固定部材１における屈曲部分より上側の上側要素１１を、脚の上腿部に固定するための上取付具２１と、前記角度固定部材１における屈曲部分より下側の下側要素１２を、脚の下腿部に固定するための下取付具２２と、設けるようにした。【選択図】図１
0003141569.tif 000002
【実用新案登録請求の範囲】
【請求項１】
上側要素と下側要素とを所定角度屈曲させて設けた概略くの字型をなす角度固定部材と、
前記角度固定部材を、脚の膝を中心とした上下の一定範囲に取り付けて、膝の屈曲角度を固定する取付具と、を具備していることを特徴とするゴルフ練習器。
【請求項２】
前記取付具が、前記角度固定部材の上側要素を脚の上腿部に取り付けるための上取付具と、前記角度固定部材の下側要素を脚の下腿部に取り付けるための下取付具とから構成されている請求項１記載のゴルフ練習器。
【請求項３】
前記角度固定部材が、脚の裏側、表側又は側方に取り付けられるものである請求項１又は２記載のゴルフ練習器。
【請求項４】
前記角度固定部材が、膝の裏側に取り付けられる板状をなすものであり、前記上取付具及び下取付具が取り付けられる部位の間に形成された、前方に突出する突出部をさらに具備したものである請求項１又は２記載のゴルフ練習器。
【請求項５】
前記突出部が、板状体を湾曲させることにより、前記上側要素及び下側要素と一体に形成されている請求項４記載のゴルフ練習器。
【請求項６】
前記突出部が、前記上側要素又は下側要素の表面に取り付けられたものである請求項４記載のゴルフ練習器。
【請求項７】
前記突出部が、クッション性を有するものである請求項６記載のゴルフ練習器。
【請求項８】
前記取付具が、脚に巻きつけて角度固定部材を固定するベルト部材である請求項１乃至７いずれか記載のゴルフ練習器。
【請求項９】
前記角度固定部材が、上側要素及び下側要素を連結するとともに、それらのなす屈曲角度を変え得る角度可変部材をさらに具備したものである請求項１乃至８いずれか記載のゴルフ練習器。
【考案の詳細な説明】
【技術分野】
【０００１】
この考案は、正しいゴルフスイングを習得するためのものであって、特にバックスイング中における軸足（飛球線方向における後ろ側の脚）の膝の角度を正しく維持するゴルフ練習器に関するものである。
【背景技術】
【０００２】
ゴルフは、打球の方向と距離の正確性を競うスポーツであり、上達するには、周知のごとく、理にかなった再現性の高いスイングをすることが求められる。そのために従来、種々の練習器あるいは矯正器が開発されている。例えば、クラブ自体に工夫を凝らして、スイングリズムやスイングプレーンを習得させるもの（特許文献１）、グリップやひじ、脇など、身体の特定部分が正しく動くように矯正するもの（特許文献２）などが挙げられる。
【特許文献１】特開２００７−２９６２６１号公報
【特許文献２】特開２００４−１０５５４４号公報
【考案の開示】
【考案が解決しようとする課題】
【０００３】
ところで、下半身において特に重要な役割を果たすのが膝である。理想的なインパクトはアドレスの再現と言われているように、バックスイング中における軸足（飛球線方向に対して後ろ側の足）の角度、つまり膝の角度は、アドレス時の角度に保たれることが望ましい。例えば、膝が、アドレス時から大きく変わって伸びた場合には、インパクトまでに膝を戻す動きが必要となるが、通常は、球をヒットしようとするあまり、それに反応し易い部位、つまり腕が先に動き出して、膝が戻らないまま、上体に頼った手打ちスイングになる場合が多い。その結果、方向性が悪くなる、ボールと身体との距離が変わってダフリミスやトップミスがでる、などの現象が生じやすくなる。
【０００４】
本考案は、本考案者が永年に亘る実際のゴルフレッスンを通じて、多くのアマチュアゴルファーに、多少の違いはあれ、軸足の膝の角度が変わる動作が見られることを発見してなされたものであって、膝の角度を正しくキープでき、しかも簡易な構成で着脱し易いゴルフ練習器を提供することを、その所期課題としている。
【課題を解決するための手段】
【０００５】
すなわち本考案に係るゴルフ練習器は、上側要素と下側要素とを所定角度屈曲させて設けた概略くの字型をなす角度固定部材と、前記角度固定部材を、脚の膝を中心とした上下の一定範囲に取り付けて、膝の屈曲角度を固定する取付具と、を具備していることを特徴とする。
【０００６】
より具体的には、前記取付具が、前記角度固定部材の上側要素を脚の上腿部に取り付けるための上取付具と、前記角度固定部材の下側要素を脚の下腿部に取り付けるための下取付具とから構成されているものを挙げることができる。
【０００７】
前記角度固定部材は、膝を含む脚の周囲に外嵌するものでも構わないが、構成簡単化のためには、脚の裏側、表側又は側方に取り付けられるものが好ましい。
【０００８】
部材や製造に係るコスト低減を図るには、前記角度固定部材が、脚の裏側に取り付けられるものであることが好ましい、このようにすれば、帯状の等厚平板を曲げるだけで角度固定部材を構成することができる。その他の部位、つまり脚の側方や表側に装着しようとすると、平板をくの字型に屈曲させただけでは膝の角度を固定することは難しく、平板を横方向にも湾曲させて脚を部分的に包み込むような形状、例えば筒状体を縦に割った形状などにしなければならなくなり、製造が複雑になる場合がある。
【０００９】
さらに、このように脚の裏側に取り付ける態様の場合は、上下取付具で取り付けられる部位に挟まれた中間部位、例えば、屈曲部分に前方に突出する突出部をさらに設けておけばよい。このことにより、角度固定部材と脚との押圧密着箇所が、上下取付具による各固定箇所の他に突出部が加わった計３箇所となるため、身体表面の弾性の影響が可及的に排除されて、膝の角度をより確実にキープできるようになる。
【００１０】
突出部は、例えば、板状体を湾曲させることにより、前記上側要素及び下側要素と一体に形成してもよいし、突出部を別体で作成しておいて、前記上側要素又は下側要素の表面に取り付けるようにしてもよい。
【００１１】
装着試験によれば、突出部を含む角度固定部材は、金属などの固い部材でも、特に痛みが生じるなどの支障はないが、密着性の観点から、表面に若干のクッション性を有するように構成しても構わない。
【００１２】
具体的な取付具としては、脚に巻きつけて角度固定部材を固定するベルト部材を挙げることができる。ベルト部材は、各人の脚回りに応じて巻回長さを可変にできるものが好ましく、例えば、長さの微調ができ、しかも脱着が容易なものとしては、面ファスナーで端部同士を繋げるようにしたものを挙げることができる。その他にバックルと孔との組合せとしたり、紐で結ぶようにしたものなどでも構わない。
【００１３】
その他、上側要素及び下側要素を連結するとともに、それらのなす屈曲角度を変え得る角度可変部材を設けて、膝の固定角度を可変にできるものも考えられる。
【考案の効果】
【００１４】
このように構成した本考案にかかるゴルフ練習器を装着すれば、膝の角度がバックスイング中、アドレス時とほぼ等しくキープされるので、膝の大きな伸縮という無駄な動きが抑制されて、理想的なインパクト状態を迎えることができる。また、膝の高さが変わらないので、身体の上下動が少ないスイングをすることができるようになる。
【００１５】
加えて、このゴルフ練習器には予想外の付加的かつ大きな効果が見られた。すなわち、飛距離アップやスムーズな体重移動のためには、バックスイング時に体重を十分に軸足に乗せることが好ましいが、このとき軸足に体重をかけようとするあまり、軸足を外側に開いてしまう動作がでがちになる。軸足が開くと力をロスするだけでなく、やはりそれを戻すための無駄な動きが入る。ところが、軸足が開くという動作は、膝の角度が変わらなければでようがないことが、本考案者の検討により解明された。したがって、このゴルフ練習器を装着すれば、バックスイングでの軸足への体重移動を十分に行っても、膝が伸びないことから軸足の開きが自然に抑制されることとなる。
【００１６】
つまり、本考案に係るゴルフ練習器によれば、膝に角度固定部材を取り付けるだけというコンパクトかつ簡単な構成でありながら、軸足の角度の変化や開きという無駄な動作が抑制された、スイングに係るほぼ理想的な下半身の動きを容易に習得することができるようになる。
【００１７】
さらに、上半身の動作を含めたスイング全体の習得に関しても、本考案は格別の効果を奏する。すなわち、従来は、下半身及び上半身をそれぞれ正しく動かしながら、しかもそれらをうまく連動させなければならないが、チェックポイントが多すぎ、上半身に気をとられると下半身がおろそかになったり、その逆になったり、連動がうまくいかなかったり、などと、スイングを学ぶのに、仮に指導を受けたとしても、非常に多くの練習が結局必要となる。しかし、このゴルフ練習器を装着すれば、下半身の動きの要とも言うべき膝が、自然と理想的な動きをするわけであるから、あとは上半身だけに気をつけたスイングだけを心がければよくなり、スイング習得時間を一挙に短縮できる。
【００１８】
また、スイング全般に亘ってこのゴルフ練習器がスイングの邪魔をすることがない。インパクト後においては、軸足は反対側の脚に送りこまれるだけで、膝を伸ばすことは特にないからである。これは実際の装着試験でも確かめられている。従来は、膝の角度を固定するとスイングが阻害されるという固定観念があって、本考案のようなゴルフ練習器が存在しなかったのではないかと考えられるが、その固定観念を、スイングに対する本考案者の注意深い観察と検討によって打ち破って初めて本考案は完成したと言える。
【００１９】
さらに、装着試験によれば、装着感がほとんど感じられず、この練習器を装着したまま、特に違和感無く長時間に亘って練習し続けることができると指摘されている。また、この練習器を装着したプレーヤが、実際にはスイングが矯正されているにもかかわらず、今までどおりの自分のスイングをしていると思い込んでいる場合もある。この練習器を装着すると、なぜか球をうまくヒットできる、打球の方向性がよくなる、などの現象が生じることからその効果を体感できるわけであるが、無意識にスイングが矯正されるということは、身体に対する無理な負荷を作用させていないことであるとも言え、これは本考案のさらなる特筆すべき効果であると考えられる。
【考案を実施するための最良の形態】
【００２０】
以下、本考案の一実施形態を図面を参照して説明する。
【００２１】
本実施形態に係るゴルフ練習器１００は、図１、図２に示すように、プレーヤの軸足（右打ちの場合は右脚、左打ちの場合は左脚）の裏側に装着されるものであって、スイング中を通じて、軸足の膝の角度をおおよそ一定に保つためのものである。
【００２２】
具体的にゴルフ練習器１００は、軸足における膝の裏側を中心としてその上下の一定範囲に亘って取り付けられる角度固定部材１と、この角度固定部材１を軸足に装着するための上取付具たる上ベルト部材２１及び下取付具たる下ベルト部材２２とを具備している。
【００２３】
角度固定部材１は、長尺状の金属製（ここではアルミ製）矩形平板を、中央部で屈曲（又は湾曲、なお本明細書で屈曲と言うときには、湾曲も含むものとする）させ、図３に示すように、側面から見て概略くの字型をなすように形成したものである。この実施形態では、中央の屈曲部分１３がさらに前方に突出するように湾曲させて突出部４を形成している。より具体的には、側面から見て、直線状をなす角度固定部材１の各端部をそのまま延ばして交差する仮想屈曲点よりも、前記突出部４がさらに前方に突出するように構成している。
【００２４】
また、角度固定部材１における屈曲部分１３より上側の上側要素１１には、図１に示すように、長手方向に沿って、上ベルト部材２１の幅より若干長い２つの長孔５が平行に貫通させてあり、これら長孔５に上ベルト部材２１を通すことによって、上ベルト部材２１を、角度固定部材１の上側要素１１に取り付けるようにしている。また、角度固定部材１の下側要素１２にも、同様に長手方向に沿って、下ベルト部材２２の幅より若干長い２つの長孔５が平行に貫通させてあり、これら長孔５に下ベルト部材２２を通すことによって、下ベルト部材２２を、角度固定部材１の下側要素１２に取り付けるようにしている。
【００２５】
ベルト部材２１（２２）は、図１に示すように、端部同士を矩形リング状のベルト金具３１（３２）を介して接続できるようにしたものである。すなわち、ベルト部材２１（２２）の一方の端部はベルト金具３１（３２）に連結してあり、他方の端部は、ベルト金具３１（３２）に先端を通して折り返し、面ファスナー（図示しない）によって止めることができるように構成してある。
【００２６】
次に、このように構成したゴルフ練習器１００の軸足への取付方法につき、以下に説明する。
【００２７】
まず、突出部４が膝のちょうど裏側に当たるように、軸足の裏側に角度固定部材１を位置づける。次に、ベルト部材２１、２２を、その端部が軸足の前側に来るように引き出して脚に巻きつけ、適度に締める。そして、金具３で折り返した一方の先端を面ファスナー部分に貼着する。
【００２８】
このことにより、図２に示すように、角度固定部材１の各端部がそれぞれ上下ベルト部材２１、２２によって軸足に固定されるとともに、突出部４が軸足の膝裏側における凹んだ部分に密着し、軸足の角度が、身体表面の弾性の影響をほとんど受けることなく、所定角度にほぼ固定される。
【００２９】
しかして、かかるゴルフ練習器１００を使って練習を行えば、図４に示すように、膝の角度がバックスイング中、アドレス時とほぼ等しくキープされるので、膝の大きな伸縮という無駄な動きが抑制されて、理想的なインパクト状態を迎えることができる。また、膝の高さが変わらないので、身体の上下動の少ないスイングをすることができるようになる。
【００３０】
さらに、膝が伸びないので軸足の開きが自然に抑制され、バックスイングでの軸足への体重移動を十分に行いつつも、軸足が開くことのないスイングを習得することができるようになる。
【００３１】
つまり、このゴルフ練習器１００によれば、膝に角度固定部材１を取り付けるだけのコンパクトかつ簡単な構成でありながら、軸足の角度の変化や開きという無駄な動作が抑制された、スイングに係る理想的な下半身の動きを容易に習得することができる。
【００３２】
また、上半身の動作を含めたスイング全体の習得においても、このゴルフ練習器１００は、大きな効果を奏する。すなわち、このゴルフ練習器１００を装着すれば、下半身は勝手に理想的な動きをするわけであるから、あとは上半身だけに気をつけたスイングだけを心がければよくなり、従来のように、多くのチェックポイントに気をつけながらスイングを学んでいくのに比べ、スイングの習得時間を一挙に短縮できる。
【００３３】
さらに、スイング全般に亘ってこのゴルフ練習器１００がスイングの邪魔をすることがない。図５に示すように、インパクト後においても、軸足は反対側の脚に送りこまれるだけで、膝を伸ばす動作は特に行われないからである。これは実際の装着試験でも確かめられている。
【００３４】
加えて、本ゴルフ練習器１００の装着試験では、装着感がほとんど感じられず、この練習器１００を装着したまま、特に違和感無く長時間に亘って練習し続けることができると指摘されている。また、この練習器１００を装着したプレーヤが、実際にはスイングが矯正されているにもかかわらず、今までどおりの自分のスイングをしていると思い込んでいる場合もある。この練習器１００を装着すると、なぜか球をうまくヒットできる、球が曲がりにくい、などの現象が生じることからその効果を体感できるわけであるが、無意識にスイングが矯正されるということは、身体に対する無理な負荷を作用させていないことであるとも言え、これは本ゴルフ練習器１００の特筆すべき付加効果である。
【００３５】
なお、本発明は、前記実施形態に限られない。
例えば、角度固定部材１の形状であるが、図６に示すように、屈曲角度を少し大きくすれば、突出部４を設けない単純なくの字型のものでも、同様の作用効果を奏し得る。また、脚に当たる部分が実質的に概略くの字であればよく、例えば図７に示すように、くの字の凹み部分が部材で埋められて、側面から見て概略三角形をなすような形状としたものでも構わない。さらに、軸足の表側に取り付けたり側面に取り付けたりする態様でもよい。その場合は、脚への密着と角度固定を考慮すれば、図８に示すように、縦割りにした部分筒状体を屈曲させた形状にすることが好ましい。もちろん、角度固定部材１は金属のみならず、樹脂製や木製のものでも構わない。
【００３６】
突出部４は、図９に示すように別体で設ける態様も考えられる。また、膝の角度固定機能を損なわない程度に、突出部４の表面にクッション性を設けてもよい。さらに、突出部４は必ずしも膝裏に密着する必要は無く、種々の試験によれば、膝裏から若干上下に外れた位置に設けても、同様の作用効果を奏し得る。
【００３７】
取付具たるベルト部材は、角度固定部材に、接着や縫い付け、ねじ止めなどの方法で取り付けるようにしてもよい。また取付具は、ベルト部材のみならず、他の態様でも構わない。
【００３８】
図１０に示すように、角度固定部材１の上側要素１１と下側要素１２とを角度可変部材６を介して連結し、角度固定部材１の屈曲角度を、個人差に合わせて調整できるようにしてもよい。この図１０での角度可変部材６は、蝶番機構を利用したもので、その軸線方向に装着したねじを緩めることにより、角度を変えることができ、締めることによって、角度をその調整した角度に固定することができるように構成してある。なお、この角度可変部材６は突出部４も兼ねている。
【００３９】
その他、本考案は前記実施形態に限られるものではなく、その趣旨を逸脱しない範囲で種々の変形が可能であることは言うまでもない。
【図面の簡単な説明】
【００４０】
【図１】本考案の一実施形態におけるゴルフ練習器の斜視図。
【図２】同実施形態におけるゴルフ練習器を使用者に取り付けた状態を示す側面図。
【図３】同実施形態における角度固定部材の側面図。
【図４】同実施形態におけるゴルフ練習器を取り付けた使用者のバックスイング中の状態を示す図。
【図５】同実施形態におけるゴルフ練習器を取り付けた使用者のインパクト後の状態を示す図。
【図６】本考案の他の実施形態における角度固定部材の側面図。
【図７】本考案のさらに他の実施形態における角度固定部材の側面図。
【図８】本考案のさらに他の実施形態における角度固定部材の斜視図。
【図９】本考案のさらに他の実施形態におけるゴルフ練習器の斜視図。
【図１０】本考案のさらに他の実施形態における角度固定部材の斜視図。
【符号の説明】
【００４１】
１００・・・ゴルフ練習器
１・・・角度固定部材
１１・・・上側要素
１２・・・下側要素
２１、２２・・・ベルト部材
４・・・突出部
６・・・角度可変部材
【図１】
0003141569.tif 000003
【図２】
0003141569.tif 000004
【図３】
0003141569.tif 000005
【図４】
0003141569.tif 000006
【図５】
0003141569.tif 000007
【図６】
0003141569.tif 000008
【図７】
0003141569.tif 000009
【図８】
0003141569.tif 000010
【図９】
0003141569.tif 000011
【図１０】
0003141569.tif 000012